(57)【要約】交差（２）が床経由給電車両の誘導装置あるいは床付け電気エネルギーの通電装置の誘導装置が上を走行する２本の誘導レール（３）のために設置され、これらの誘導レールはコア部品（３４）により占有される交差部に対応する領域（３３）において局部的に中断されるとともに、該誘導レールがそれぞれコアの前後である長さ（４３）にわたり、床付け電気エネルギーの通電装置の下部部分の自由な通行のために、この部分の長さにわたり床に向けた自由な空間の境界が区切られる片持ち梁（４４）状態の上部部分を呈することを特徴とする。この発明は誘導支持架線によると同時にあるものに関してはさらに床付けレールにより誘導される床経由給電車両に利するものである。【選択図】図１
2008517185.tif 000002
【特許請求の範囲】
【請求項１】
床経由電気供給車両の誘導装置あるいは床付け電気エネルギー通電装置の誘導装置が上に走行する各１本の誘導レール（３）が含まれ、該各誘導レール（３）がレール（３）の端部（３５）から離れたコア（３４）部品により占有されるこれらの交差部に対応する領域（３３）において局部的に中断されて誘導装置の通行時の中央支持が確保された上に、コア部品の両側で中断される誘導レール（３）により、それぞれ、これらの中断端部（３５）からあるいはこれらの手前で、ある長さ（４３）にわたり片持ち梁（４４）状態の上部部分が呈され、床付き電気エネルギーの通電装置の下部部分の自由な通行のために床の方に空の空間がこの部分の長さ（４３）にわたり区切られることを特徴とする２本走行軌道向け交差（２）
【請求項２】
誘導レール（３）の少なくとも１本が横腹（１６）の少なくとも片側上に少なくとも１本の導体路（１５）を呈し、該導体路の対応する横腹（１６）の隣接部分がコア部品（３４）から片持ち梁状態の部分（４４）の長さ（４３）にわたり中断されるものであることを特徴とする請求項１による交差
【請求項３】
誘導レール（３）の少なくとも１本がその１つの面が横方向導体路（２３）を構成する少なくとも１本の隣接する供給導体（２２）を呈し、該導体路がコア（３４）部品の手前にかつそこからある一定の長さにわたり中断されることを特徴とする請求項１あるいは請求項２による交差
【請求項４】
誘導レール（３）の少なくとも１本の片持ち梁（４４）状態の上部部分が内部導体芯材により補剛されることを特徴とする請求項１から請求項３までのいずれかの請求項による交差
【請求項５】
誘導レール（３）の少なくとも１本がその上部部分に沿う内部導管手段（８）を呈することを特徴とする請求項１から請求項４までのいずれかの請求項による交差
【請求項６】
内部導管手段（８）が片持ち梁（４４）状態部分にある補剛棒（４５）により占有されることを特徴とする請求項４および請求項５による交差
【請求項７】
少なくとも１本の導体路（１５）が噛合／解放の傾斜路（４７）状態の移行域（４６）上で擦れる通電フランジ（１８，２９）用の該移行域から始まって中断されることを特徴とする請求項２から請求項６までのいずれかの請求項による交差
【請求項８】
移行域（４６）が１種類あるいは２種類の連続勾配斜面状態の傾斜路（４７）であることを特徴とする請求項７による交差
【請求項９】
少なくとも１本の誘導レール（３）にこの各横腹（１６）上のゼロボルト導体帰路（１５）が含まれることを特徴とする請求項２から請求項８までのいずれかの請求項による交差
【請求項１０】
少なくとも１本の横方向導体路（２３）が移行域上を移動する通電フランジ（１８，２８）用の噛合／解放の傾斜路（４９）状態の該移行域（４８）から始まって中断されることを特徴とする請求項３から請求項９までのいずれかの請求項による交差
【請求項１１】
移行域（４８）が１種類あるいは２種類の連続勾配つきの傾斜状態の傾斜路（４９）であることを特徴とする請求項１０による交差
【請求項１２】
コア部品（３４）がより幅が広くかつほぼ菱形形状の頭部（３８）を通って上下に細長い本体（３７）から形成される支持媒介部品であることを特徴とする請求項１から請求項１１までのいずれかの請求項による交差
【請求項１３】
コア部品（３４）の頭部（３８）が、その各両脇に、誘導レール（３）の１本の対応する走行路（１１）の延長上に位置すると同時にこれに一致するように合される走行路（３９）を呈することを特徴とする請求項１２による交差
【請求項１４】
コア部品（３４）の頭部（３８）に、向かい合って傾斜するとともに盤面（４１）により上部部分で結合される走行路（３９）を通って延び、傾斜しかつ上部に向けて拡がる下部横腹（４０）が含まれることを特徴とする請求項１３による交差
【請求項１５】
レール（３）がほぼ平面の底板（３１）上に固定されることを特徴とする請求項１から請求項１４までのいずれかの請求項による交差
【請求項１６】
コア部材（３４）が下部部分の台座（４２）を含みこの媒介により底板（３１）に固定されることを特徴とする請求項１５による交差
【請求項１７】
底板（３１）に固定される支持材（５０）により誘導レール（３）の上部部分の面と同一面になる保護板（５１）の固定が可能になることを特徴とする請求項１５による交差
【発明の詳細な説明】
【技術分野】
【０００１】
本発明は車両向け床付き移動電気エネルギー通電装置の一部をなす２本誘導レールの交差装置に関する。
【背景技術】
【０００２】
これは床経由の電源を伴う道路あるいは倉庫車両の２本の誘導レールの問題であり得るが、また、任意車両の移動エネルギーの床付き通電装置の誘導装置の２本誘導レールの問題でもあり得る。対象となる電気車両は、例えば道路上の陸上車両であるが鉄道車両でも良い。本発明は特に電気推進力により自動誘導される都市共用輸送車両交通の通行路に応用され、これらの車両は鉄道あるいはタイヤ走行のタイプのものであり得る。しかしながら、本発明はこの好ましい用途に限られるものではない。
【０００３】
このタイプの電気車両は、特に、誘導と給電に関する車両のあらゆるニーズを満足させるために整備された軌道上を走行する。該軌道にはこうして少なくとも１本の誘導レールならびに車両床への給電用に利用される１本あるいは複数の直線導体路が含まれ、該誘導レールはこれらの導体路の少なくとも１本をもち得る。
【０００４】
明らかに安全の理由で、導体路への接近はこの上部が突き出た直線保護材により中断される。これらの保護材は例えば表面に配置されると同時に床に給電装置が埋め込まれる場合には床のレベルと面が合わされる。
【０００５】
該床付け装置と協働する通電装置が車両に設置される。この装置には、運行時にこれらの表面直線保護部材の下を移動する保護材床付き直線導体路と電気的にすべり接触する１つあるいは複数の通電フランジが設置された少なくとも１つの通電構成部品が含まれる。
【０００６】
該通電構成部品は本線の最初の通電位置に挿入されるとともに、本線の最後にしか再び姿をみせることはない。一般に、人の安全が脅かされる例外的な状況ででしか通電中に取り出されることはない。
【０００７】
本発明の目的は２本の交通軌道を床付けの電気エネルギーの通電装置並びに誘導装置と交差させることにあるとともに、すなわち、２本の誘導レールは少なくとも１本の電気エネルギー導体路をもち得る。
【０００８】
これらの２本の走行軌道が交差しなくてはならない場合には、あるいくつかの問題が提起される。２本の誘導レールは、直線導体路と全く同様に、車両あるいは通電装置の誘導を続けながら交差面で中断されなくてはならない。その上、該交差により電気エネルギー通電の構成部品が干渉すること無く通行が可能とならなくてはならない。
【０００９】
これらの技術的問題が解決されるため、本発明により上に床を経由した給電による車両の誘導装置あるいは床付き電気エネルギー通電装置の誘導装置が走行する各１本の誘導レールが含まれる２本の走行軌道の交差の製作が可能となる。
【００１０】
これらの各誘導レールはレールの両端から離れたコア部品により占有されるこれらの交差部に一致する領域において局部的に中断され、これにより誘導装置の通行時の中央支持が確保される。
【発明の開示】
【００１１】
本発明によると、コア部品の両側で中断される誘導レールは、それぞれこれらの中断される端部からあるいはその手前で、ある長さにわたり、床付け電気エネルギー通電装置の下部部分の自由な通行のために床に向けて空いた空間がこの部分の長さにわたり区切られる片持ち梁状態の上部部分を呈する。
【００１２】
誘導レールのうち少なくとも１本は横腹の少なくとも片側で少なくとも１本の導体路を呈し得て、該導体路は対応する横腹の隣接部分がコア部品からの片持ち梁の部分の長さにわたりその後中断される。
【００１３】
さらに、誘導レールの少なくとも１本はその面の１つが横方向導体路を構成する少なくとも１本の隣接する供給導体を呈し得るので、該導体路がコア部品の手前でならびにそこからある一定の長さにわたり中断される。
【００１４】
本発明による交差は次に本発明の好ましいある実施形態に対応する図１から図６が参照されて詳細に説明されよう。様々な図面に示される同じ要素には同じ参照番号が振られている。
【００１５】
図１から図４は、床経由で給電される車両、必ずというわけではないが、例えば、道路走行車両好ましくは自動誘導される車両に関する２本の交通軌道１が図解の目的で示されたものである。
【００１６】
２本の交通軌道１が本発明により設置されるとともになかでも特に図４の拡大図で図示される交差２の領域で交差する。これらの軌道１には車両自身の誘導あるいはその通電腕金の誘導に利用される誘導レール３が含まれる。
【００１７】
本発明による交差２と両立可能であるこの誘導レール３の好ましいが非限定的な変型例が図５に単独でかつ横断面で示されたものである。
【００１８】
レール３は電気的に絶縁性があるとともに機械的に強度のある材料でかつ好ましくは押出し成形で製作可能である点が有利である。
【００１９】
実際の様々な方法を通じて場合に応じて押出し成形方向の強度が最大である繊維補強が利用される部品の入手が可能となる。
【００２０】
しかしながら、姿が現れる部分が電位ゼロであるかあるいは人々に危険がない場合には金属レールの場合が構想されることもあり得る。
【００２１】
示された実施形態について、レール３によりその全体断面形状がほぼ三角形のタイプのものである本体４が示される。横方向応力に対する満足すべき強度が確保された上で材料が節約されるよう、レールの本体４は溝の小箱の構造を呈すると同時に、これにはこのように、例えば、内壁７により分離されると同時に好ましくは円筒断面の内部導管手段８が上に乗るほぼ台形の断面が２つ重ねられた小箱５および６が含まれるのが好ましい。
【００２２】
レールの本体４は、キノコ状とも呼ばれ得る充実断面レール９の頭部が上部の方に続く。この頭部は、示された例では、上方へ拡がって傾斜する下部の両横腹１０のある、上方に集まって傾斜すると同時に、例えば、軽く膨らんだ盤面１２により上部部分に連結される２本の走行路１１のついた台形の全体形状の断面を呈する。
【００２３】
このように、これはレール頭部９の対応する２つの傾斜路１１上を走行するようになるＶ字に傾斜した２つの誘導ローラーが含まれ得る車両あるいは通電腕金の誘導装置用の誘導レールとして利用可能である。
【発明の最良の実施形態】
【００２４】
下部付近では、レール３の本体４はその固定を可能にする各側の長さ方向支持縁１４が通る拡幅された基盤部１３で終わるのが好ましい。レール３はその誘導機能に加えて、例えば、給電あるいはゼロボルト帰路の１本あるいは複数の導体路１５の支持材として利用可能である。例えば、スチールで製作されるこれらの導体路の数は２本であると同時に誘導レール３の各側面１６に配置されるのが好ましい。これらの導体路１５は図５に示されるように対称であると同時ほぼ鉛直方向であるのが好ましい。
【００２５】
運転中は、そのある例が図６に示される２つの通電構成部品１７が誘導レール３の両側を移動し、これらの通電フランジ１８は相互に押し合うと同時に導体路１５に沿って滑る。
【００２６】
本発明による交差が可能となるある交通軌道１の実施例が読んでより良く理解できるよう直線部分に関して図６の断面に示されたものである。
【００２７】
この実施例では、中でも特に搭載利用電気回路の床からの供給、すなわち、床に配置される電流供給装置１９ならびにこれと一緒に移動する通電装置２０を可能にする協働する２つの補完装置から形成される車両の給電装置が図解されている。
【００２８】
電流供給装置１９は掘削溝中に置かれる上部面が開放されたほぼ長方形断面の溝部２１に収納される。これは主に好ましくは中央のレール３、およびそれぞれ給電電圧に接続される少なくとも１本の好ましくは２本の直線導体２２から構成されるのが好ましい。これらの導体２２は平行であると同時に誘導レール３に隣接する。これらの面の１つはすべり要素あるいは電圧集電フランジ用の導体路として利用される。この理由で、これは横方向導体路２３と呼ばれる。２本の導体の場合には２本の横方向導体路２３が存在する。
【００２９】
この例では、電位ゼロの帰路はこのため好ましくは対称のゼロボルト帰路の２本の導体路１５が搭載されるレール３に沿って行われる。レール３はまた車両誘導装置あるいは通電装置用の誘導レールとしても利用される。
【００３０】
レール３は等間隔で配置される枕木２４上の溝部２１の底に固定される。これらの枕木２４の横方向各端部が、横腹断面２５の下部端が横方向に電流供給装置１９の境界を区切る挟み金物により固定される。横方向導体路２３を形成する直線導体２２は横腹断面２５上に間隔をおいて固定される一連の吊り金物２６により支持され、これらにより懸架される。保護断面２７が、許されない電圧下の直線導体２２へのあらゆる接近が禁じられるように各横腹断面２５の上端面に固定される。
【００３１】
車両の利用回路の機能に必要な電気エネルギーの集電は、レール３の両側の溝部２１内を走行する２つの通電移動構成部品１７が含まれる車両に搭載される通電装置２０によって行われる。
【００３２】
これら各通電構成部品１７には、その中央位置で、対応する給電体２２の横方向路２３と滑り接触されられるようになる出力フランジ２８、また、その横腹にレール３により支持される対応するゼロボルト導体帰路１５とすべり接触するようになるように配置されるゼロボルトフランジ２９が含まれてレール３の方に向けられる。
【００３３】
勿論、これらのフランジはあらゆる状況において満足すべき電気接触が確保されるよう対応する導体との接触が弾性復元状態で取付けられるのが好ましい。
【００３４】
２つの通電構成部品１７はこれらの通電構成部品１７と車両の利用者回路との間の電気的連結が追加して確保される支持架線装置３０により支えられると同時に機械的に結合される。この支持架線装置３０はその動的安定性の観点から車両の誘導腕金上に取付けられるのが好ましい。
【００３５】
本発明により、２本の軌道の交差がうまい具合に製作される。
【００３６】
交差２の面でレール３は、好ましくは例えばクラマージュといわれる挟み部品３２を介してほぼ平らな底板３１に固定される。示された例では、誘導レール３はほぼ各走行軌道１の中央にあるのが好ましい。
【００３７】
２本の誘導レール３はこれらの交差部に対応する領域３３において局部的に中断される。同様に、場合によっては必要な直線給電体２２も交差部領域３３で中断される。
【００３８】
この領域３３の中央では、すなわち、交差部の幾何的配置では、中断される誘導レール３の端部３５から離れると同時に、場合によっては必要な中断される導体２２の端部３６からも離れてコア部品３４は取付けられる。
【００３９】
このコア部品３４は好ましくはより幅が広くかつほぼ菱形の形状の頭部３８により上部に延ばされる、例えば菱形断面体３７から形成される支持媒介部品である。
【００４０】
コア部品３４の頭部３８によりその各両脇の誘導レール３のうちの１本の走行路１１の延長部に位置すると同時にこれに一致するように対応される誘導ローラーの走行路３９が呈される。
【００４１】
このように、示された実施形態に関して、コア部品３４の頭部３８には、誘導レール３の頭部９として、向かい合って傾斜した走行路３９により延長される、上方に集まると同時に盤面４１により上部部分で結合される傾斜すると同時に上方に拡がる下部横腹４０が含まれる。
【００４２】
コア部品３４の存在により、誘導ローラーによる誘導の連続性の確保が可能となる。この目的が達成されるためには、交差２の前後の区間レール３はこのコア部品３４のできるだけ近くに続けられなくてはならない。
【００４３】
コア部品３４の本体３７は通電フランジ１８の通行と干渉しないようにその基盤部に十分に緊密に設置されなくてはならない。
【００４４】
コア部品３４には、下部部分に、例えば、ほぼ平らでかつ水平なそしてまた好ましくは菱形の外形の台座４２が含まれ、これを媒介にしてこれが底板３１に固定される。この台座４２はコア部品３４の良好な安定性が確保されるよう十分な大きさを呈しなくてはならない。
【００４５】
障害、破損あるいは接触の危険なしに電流通電装置の通行が可能となるためには、十分な自由空間が装置の下部部分の交差領域に残されなくてはならない。
【００４６】
この点ならびに本発明に欠かせない特徴によると、誘導レール３は、交差領域からあるいはこの手前の、交差領域３３の近傍に位置するこれらの全長部分４３にわたり、下部部分がくり抜かれるかあるいは捨てられたものである。
【００４７】
通電構成部品１７の通行のための十分な自由空間はこうして誘導レール３により誘導に必要な走行路１１が最大限長く維持されながら相互に極めて近い交差領域３３に残される。
【００４８】
片持ち梁状態となるレール３の残る上部部分４４は、従って、誘導腕金だけで応力が支持されなければならない。破損の危険が避けられるように、レール３の片持ち梁４４状態にある上部部分は下部導体芯材により補剛され得る。これは、例えば、補剛棒４５の問題であり、好ましくはスチール製のかつ例えば中空管がレールの上部部分に設置される長手方向の空洞部に置かれ得る。
【００４９】
都合の良いことには、示された変型例では、補剛棒４５はこの片持ち梁４４状態の上部部分の領域における誘導レール３の内部導管手段８中に収容され得る。
【００５０】
この補剛棒４５は、レールの設置あるいは製作時に例えばその受け溝中に挿入される。また、プラスチック材料で製作される誘導レールの場合には軸棒４４にレールが型合わせされるよう考えられ得る。くり抜かれるかあるいは捨てられる部分４３の長さは誘導腕金を支える車両軌道の半分の長さより短いのが好ましい。
【００５１】
この長さが呈される場合、導体路１５は対応する横腹１６の隣接部分がくり抜かれるかあるいは捨てられる誘導レール３の長さ４３の全長にわたり中断される。通電フランジ１８が徐々に解放されると同時に徐々に力学的引張り力が伝えられるためには、誘導レール３の導体路１５は、片持ち梁の上部部分にあるくり抜かれるかあるいは捨てられる領域４３の最初と最後に、交差部３３の上流および下流で、斜路上をこする通電フランジ１８のための好ましくは斜路４７の形で噛合／解放が実行される移行域４６を通じて中断が開始されるのが好ましい。
【００５２】
この斜路４７は例えば１つあるいは２つの連続勾配の斜面の形、丸みのついた形あるいはその他の適当な緩やかな変化の形を取り得る。
【００５３】
例えば片持ち梁４３状態の領域の最初にあるいは該領域において少し前方で適合される領域で中断される導体２２の横方向導体路２３に関しても同様である。
【００５４】
これらの横方向導体路２３の少なくとも１本により、その中断端部面の上を移動する対応する漸進的な噛合あるいは離脱ならびに円滑な通電フランジ２８を可能にする噛合／解放の斜路４９の状態の移行域４８が呈される。この移行域４８は前出のように１つあるいは２つの連続した勾配斜面の斜路の形で製作可能である。
【００５５】
中断される１本あるいは複数の導体路１５および／または２３上での通電フランジ１８の接触すべりの一時的離脱は、例えば、別の電気通電装置、例えば、列車あるいは車両の反対端に配置される別の車両通電装置のものにより一時的に継電され得る。また搭載されたバッテリー装置による車両の給電の移行により補償されることもあり得る。また車両が長さの短い交差部を横断するための持出し部にわたり続く車両にこの一時的な給電切断が補償されないように考えることもできる。
【００５６】
さらに、また、図２に示されるように、底板３１に例えば機械溶接されて固定される支持材５０により、誘導レール３の上部部分の面と面が合わされると同時に、埋込み装置の場合にはほぼ床表面の面に位置するのが好ましい保護板５１の固定が可能となる。
【００５７】
これらの保護板５１により導体路１５ならびに高圧下のその他の危険な要素への接近が禁じられるが、誘導レール３の頭部９の自由な走行路１１は残される。これらの保護板５１はこれを横断する車輪に作用する車両重量に耐えることが可能である。
【００５８】
明らかなように、本発明はこれまでに説明されると同時に様々な図面で示された好ましい実施形態例に限定されず、専門家により、本発明の範囲および枠から逸脱することなく多くの修正例がもたらされると同時にその他の変型例が創出され得るものである。
【図面の簡単な説明】
【００５９】
本発明のその他の特徴は付録の図面が参照されてなされる説明に関する以下に続く詳細説明が読まれれば明らかになろう。すなわち、
【００６０】
【図１】表面の保護板が取り除かれた本発明による２本誘導レールの交差の全体透視図
【図２】図１のものと同様であるが表面に置かれる保護板付きの透視図
【図３】横方向路を形成する隣接する導体が示される交差の上面概要図兼全体装置平面図
【図４】図１に示された交差の中央領域の拡大透視図
【図５】本発明による交差の製作用に利用可能な誘導レールのある例の横方向断面図
【図６】交通軌道の直線部分に関する搭載通電装置と協働する本発明と両立可能な誘導と給電の床付け装置のある例に関する横断面図
【図１】
2008517185.tif 000003
【図２】
2008517185.tif 000004
【図３】
2008517185.tif 000005
【図４】
2008517185.tif 000006
【図５】
2008517185.tif 000007
【図６】
2008517185.tif 000008
【国際調査報告】
2008517185.tif 000009
2008517185.tif 000010
2008517185.tif 000011
2008517185.tif 000012